(57)【特許請求の範囲】
【請求項１】
ディスクトレー本体とフロントパネルからなり、ディスクトレー本体の上面に凹所が形成されているディスクトレーの該凹所内に記録及び／又は再生用のディスクを水平に挿入して、該ディスクトレーをディスク装置本体内に水平に出し入れするディスク装置において、
上記ディスクトレーの凹所内に挿入された上記ディスクの外周をその凹所の底部とは反対側から押えるディスク押え部を設け、
上記ディスクトレーの上記フロントパネルのほぼ中央部に切欠きを形成して、その切欠き内に上記ディスク押え部を配置し、
上記ディスク押え部を上記凹所内のディスクの外周の一部と重なるディスク押え位置と、そのディスクの外周から外方に離間されたディスク開放位置との間で上記フロントパネルの上記切欠き内で移動自在に構成した
ことを特徴とするディスク装置。
【請求項２】
上記ディスク押え部を上記ディスク開放位置から上記ディスク押え位置へ移動付勢する手段を設けた
ことを特徴とする請求項１記載のディスク装置。
【請求項３】
上記ディスクトレー本体の凹所の外周で、上記ディスク押え部とは反対側の位置に配置され、該凹所内のディスクの外周をその凹所の底部とは反対側から押える固定のディスク押え爪を設けた
ことを特徴とする請求項１記載のディスク装置。
【発明の詳細な説明】
【技術分野】
【０００１】
本発明は、ＣＤプレーヤやＣＤ−ＲＯＭドライブ等のディスク装置に関し、特に、記録及び／又は再生用のディスクをディスクトレー上に載せてディスク装置本体内にローディングするものに関する。
【背景技術】
【０００２】
従来から、ＣＤプレーヤやＣＤ−ＲＯＭドライブ等のディスク装置では、図１９及び図２０の（Ａ）に示すように、扁平な箱型に形成されたディスク装置本体１フロントパネル１ａに横長の開口であるディスクトレー出入口１ｂを形成し、このディスクトレー出入口１ｂからディスクトレー２を矢印ａ、ｂ方向に水平に出し入れ自在に取り付けている。
【０００３】
そして、ディスクトレー２は、合成樹脂等によって水平なディスクトレー本体２ａと、その前端に垂直状に一体成形されたほぼ長方形状のフロントパネル２ｂとによって構成されている。そして、ディスクトレー本体２ａの上面にほぼ円形の凹所３を形成し、ＣＤやＣＤ−ＲＯＭ等の記録及び／又は再生用のディスク４をこの凹所３内に挿入して、その底部３ａ上に水平に載せた後、図２１に示すように、ディスクトレー２によってディスク４をディスク装置本体１内に矢印ａ方向から水平にローディングするように構成されている。
【０００４】
なお、図２２に示すように、ディスクトレー２のローディング機構５は、例えばディスクトレー２の下面の一側部に沿って矢印ａ、ｂ方向と平行に一体成形されたラック６と、ディスク装置本体１内に取り付けられて、ラック６を駆動するギアードモータで構成されたローディングモータ７及びピニオン８によって構成されている。
【０００５】
なお、ディスク装置の機種によっては、ラック６をディスク装置本体１の内部側に設置し、ローディングモータ７及びピニオン８をディスクトレー２の下面側に取り付けたものである。
【０００６】
そして、ローディングモータ７によってピニオン８を正逆回転駆動して、ピニオン８とラック６を矢印ａ、ｂ方向に相対移動させることによって、ディスクトレー２をディスクトレー出入口１ａからディスク装置本体１内に矢印ａ方向にローディングし、矢印ｂ方向にイジェクトするように構成している。
【０００７】
一方、図２３及び図２４に示すように、ディスクトレー本体２ａの凹所３の中央部からローディング方向（矢印ａ方向）側の端部にかけて切欠き１０が形成されており、ディスク装置本体１内の上下に、ディスクテーブル１１及び光学ピックアップ１２と、チャッキングプーリ１３が配置されている。
【０００８】
そして、図２３に示すように、ディスクトレー２がディスク装置本体１外に矢印ｂ方向にイジェクトされた状態では、ディスク装置本体１内のディスクテーブル１１及び光学ピックアップ１２がベースユニット１４によって回動支点１５を中心にディスクトレー２の下方向である矢印ｃ方向に退避されている。なお、チャッキングプーリ１３はプーリホルダー１７によって保持されている。
【０００９】
そして、図２４に示すように、ディスクトレー２がローディングモータ７によってディスク装置本体１内に矢印ａ方向からローディング完了された時に、ベースユニット１４が回動支点１５を中心に矢印ｄ方向に回転駆動される。そして、ディスクトレー２の切欠き１０内にディスクテーブル１１及び光学ピックアップ１２が下方から矢印ｄ方向に挿入されて、ディスクテーブル１１がディスク４の中心穴４ａに下方から嵌合しながら、ディスク４をディスクトレー２の凹所３の底部３ａから上方に浮かす。そして、これと同時にチャッキングプーリ１３とディスクテーブル１１との間でディスク４をマグネットチャッキングすると共に、光学ピックアップ１２の対物レンズ１２ａをディスク４の下面に近接させる。
【００１０】
そして、この後、スピンドルモータ１６によってディスクテーブル１１と一体にディスク４が回転駆動され、光学ピックアップ１２の対物レンズ１２ａから照射されるレーザービームスポットによってディスク４の記録及び／又は再生が行われる。
【発明の開示】
【発明が解決しようとする課題】
【００１１】
ところで、従来のこの種ディスク装置は、図１９及び図２０の（Ａ）に示すように、ディスクトレー２の凹所３の底面３ａ上にディスク４を水平に載置してローディングするようにした水平使用専用機であり、ディスク装置本体１を垂直に立てて使用する垂直使用には不向きであった。
【００１２】
即ち、図２０の（Ｂ）に示すように、ディスクトレー２をディスク装置本体１と共に垂直に立てて使用すると凹所３が垂直になるため、この凹所３内にディスク４を垂直に載せようとしても、凹所３の外周のテーパー面３ｂ部分でディスク４が自重で矢印ｅ方向にすべり落ちてしまい、ディスク４をディスクトレー２上に載せることができないと言う問題があった。
【００１３】
一方、特に、ＣＤ−ＲＯＭドライブ業界では、コンピュータの小型化に伴うディスク装置の狭いスペース内への設置を目的として、ディスク装置の垂直使用の要望が強まっている。
【課題を解決するための手段】
【００１４】
本発明は、上記の要望に応えるべくなされたものであって、１つのディスク装置を水平及び垂直方向に自由に使用することができ、しかも、ディスク装置の水平及び垂直使用の
何れにおいても、ディスクトレーの凹所内へのディスクの出し入れ操作を容易に行えるようにするために、ディスクトレー本体とフロントパネルからなり、ディスクトレー本体の上面に凹所が形成されているディスクトレーの該凹所内に記録及び／又は再生用のディスクを水平に挿入して、該ディスクトレーをディスク装置本体内に水平に出し入れするディスク装置において、上記ディスクトレーの凹所内に挿入された上記ディスクの外周をその凹所の底部とは反対側から押えるディスク押え部を設け、上記ディスクトレーの上記フロントパネルのほぼ中央部に切欠きを形成して、その切欠き内に上記ディスク押え部を配置し、上記ディスク押え部を上記凹所内のディスクの外周の一部と重なるディスク押え位置と、そのディスクの外周から外方に離間されたディスク開放位置との間で上記フロントパネルの上記切欠き内で移動自在に構成したものである。
【発明の効果】
【００１５】
本発明のディスク装置は、ディスクトレーのフロントパネルの切欠き内のディスク押え部をディスクトレー本体の凹所に対するディスク押え位置からディスク開放位置へ移動させると、そのディスク押え部が凹所の外方へ離間されるので、そのディスク押え部がディスクトレーの凹所内に対するディスクの出し入れ操作を行う際の邪魔ものにならず、ディスク装置の水平使用及び垂直使用の何れにおいても、ディスクトレーの凹所内へのディスクの出し入れ操作を容易に行える。また、その逆に、ディスクトレー本体の凹所内へのディスク挿入後に、ディスクトレーのフロントパネルの切欠き内のディスク押え部をディスク開放位置からディスク押え位置へ移動させると、そのディスク押え部が凹所の底部とは反対側からディスクの外周の一部に重ねられて、ローディング及びイジェクト時における凹所内からのディスクの脱落を防止できるので、特に、ディスク装置の垂直使用時でのローディング及びイジェクト中に、ディスクがディスクトレーから脱落せず、ディスク装置を水平使用及び垂直使用の何れにも安全であり、かつ、水平使用と垂直使用とを自由に使い分けることができる。
【発明を実施するための最良の形態】
【００１６】
本発明のディスク装置は、ディスク押え部をディスク開放位置からディスク押え位置へ移動付勢する手段を設けたので、使用者が例えば左手でディスク押え部を付勢手段に抗してディスク開放位置へ移動させた状態で、右手でディスクをディスクトレー本体の凹所内に挿入した後に、その左手を離せば、ディスク押え部がディスク押え位置へ自動的に移動されて、凹所内のディスクを自動的に押え、その後は、凹所内からのディスクの脱落が防止される。
【００１７】
本発明のディスク装置は、ディスクトレー本体の凹所の外周で、ディスク押え部とは反対側の位置に配置され、該凹所内のディスクの外周をその凹所の底部とは反対側から押える固定のディスク押え爪を設けたので、凹所内に挿入されたディスクは、その外周の複数箇所をディスク押え部とディスク押え爪とによって安全に保持され、特に、ディスク装置の垂直使用時でのローディング及びイジェクト中のディスクトレーからのディスクの脱落を未然に防止することができて、安全性が向上する。
【実施の形態】
【００１８】
以下、本発明を適用したディスク装置の実施の形態を図１〜図１８を参照して説明する。なお、図１９〜図２４と同一構造部には同一の符号を付して説明の重複を省く。
【００１９】
「ディスク押え部とディスク押え爪の概要説明」
まず、図１〜図４によって、ディスクトレー２に設けられた１つのディスク押え部２０と、２個のディスク押え爪２１の概要を説明する。
【００２０】
ディスクトレー２のディスクトレー本体２ａの上面２ａａに形成されているほぼ円形の凹所３の外周位置で、その上面２ａａの上部位置におけるフロントパネル２ｂ側にディスク押え部２０が配置されている。また、凹所３の外周位置で、その上面２ａａの上部位置におけるディスク押え部２０とは反対側の位置の２箇所にディスク押え爪２１が配置されている。
【００２１】
そして、ディスク押え部２０は、後述するように、ディスクトレー本体２ａから切り離されていて、そのディスクトレー本体２ａに対してローディング方向（矢印ａ方向）及びイジェクト方向（矢印ｂ方向）に移動自在に構成されていて、かつ、移動付勢手段である圧着バネ２２によってローディング方向に移動付勢されている。
そして、２つのディスク押え爪２１は、合成樹脂等によって成形されたディスクトレー本体２ａの上面２ａａ上に一体成形された固定の爪構造に構成されている。
【００２２】
従って、このディスク装置によれば、矢印ｂ方向にイジェクト完了されているディスクトレー２の凹所３内にディスク４を挿入する際、使用者は、図１及び図２に１点鎖線で示すように、例えば左手で、ディスク押え部２０を圧着バネ２２に抗して矢印ｂ方向に移動させて、そのディスク押え部２０を凹所３の外方へ離間させるようにして、凹所３のディスク押え部２０側を開放させている。そして、例えば右手でディスク４の外周をつまんで、このディスク４を凹所３内にディスク押え部２０側からやや斜めに挿入する。
【００２３】
そして、その挿入したディスク４の外周４ｂの２箇所を２つのディスク押え爪２１の下に挿入した後に、ディスク押え部２０から手を離すと、図１及び図２に実線で示すように、そのディスク押え部２０が圧着バネ２２によって矢印ａ方向に移動されて、図３に示すように、ディスク押え部２０が凹所３の内側まで入り込んで、そのディスク押え部２０がディスク４の外周４ｂの一部の上部にオーバーラップ量ＯＶに重ねられる。
【００２４】
そして、この瞬間に、ディスク押え部２０と、２つのディスク押え爪２１とによって、ディスク４の外周４ｂの３箇所を凹所３の底部３ａとは反対側から押えることができて、ディスク４を凹所３内から脱落しないように、ディスク４を凹所３内に、完全に、かつ、確実に保持することができる。
【００２５】
従って、図２に示すディスク装置の水平使用時（ディスク装置本体１を水平に設置して使用する時）は言う迄もなく、特に、図１に示すディスク装置の垂直使用時（ディスク装置本体１を垂直に立てて使用する時）においても、ディスクトレー２の凹所３内からディスク４を不測に脱落させることなく、ディスク４をその凹所３内に安全、かつ、確実に保持した状態で、ディスクトレー２によってディスク４をディスク装置本体１内に矢印ａ方向からローディングし、或いは矢印ｂ方向にイジェクトすることができる。
【００２６】
そして、このことから、ディスク装置を水平使用及び垂直使用の何れにも安全、かつ、自由に使い分けることができる。
一方、ディスクトレー２の凹所３内に対するディスク４の脱着操作（挿入及び抜取り動作を言う）は、ディスク装置の水平使用時及び垂直使用時を問わず、前述した要領で、極めて簡単に行える。
【００２７】
「ディスク押え部の第１の実施形態の説明」
次に、図６〜図１０によって、ディスク押え部２０の第１の実施形態を説明する。
まず、合成樹脂等によって成形されたディスクトレー２のフロントパネル２ｂがディスクトレー本体２ａから切り離されて、そのフロントパネル２ｂの背面２ｂｂにおける上端側で、かつ左右幅方向の中央部にディスク押え部２０が一体成形されている。
【００２８】
そして、このディスク押え部２０はディスクトレー本体２ａの上面２ａａと平行なほぼ三ヶ月形状の突片に構成されていて、このディスク押え部２０の凹所３の中心Ｏ側の端面２０ａは、その中心Ｏに向って緩やかな凸形に弯曲された円弧面に形成されている。
そして、このディスク押え部２０は、ディスクトレー本体２ａの凹所３の中心Ｏを通る左右幅方向の中心線であるディスクトレーセンターＰ1 に対して直角状で左右対称状に振り分けられて配置されている。
【００２９】
なお、２つのディスク押え爪２１は、ディスクトレー本体２ａの上面２ａａ上に一体成形されて、凹所３の中心Ｏに向ってその上面２ａａと平行状に突出されている。そして、これら２つのディスク押え爪２１は、凹所３の中心Ｏから放射状に発散され、かつ、ディスクトレーセンターＰ1 に対して左右幅方向に同角度に振り分けられた２本の放射線Ｐ2 上に配置されている。
従って、ディスク押え部２０及び２つのディスク押え爪２１はディスクトレーセンターＰ1 に対して左右幅方向に対称形状に配置されている。
【００３０】
そして、フロントパネル２ｂの背面２ｂｂにおける上下方向のほぼ中間部で、かつ、左右幅方向の中央部にスライド板２３が水平状に一体成形されている。また、ディスクトレー本体２ａの下面２ａｂでディスクトレーセンターＰ1 の左右両側位置に断面形状がＬ型で、かつ、左右対称形状の左右一対のガイドレール２４がディスクトレーセンターＰ1 と平行で、かつ、水平状に一体成形されている。
【００３１】
そして、スライド板２３が左右一対のガイドレール２４間に水平に挿入されて、ディスク押え部２０がフロントパネル２ｂと一体に、ディスクトレー本体２ａに対して、図６及び図９に示すローディング方向（矢印ａ方向）のディスク押え位置Ｐ11と、図７及び図１０に示すイジェクト方向（矢印ｂ方向）のディスク開放位置Ｐ12との間で矢印ａ、ｂ方向に移動自在に構成されている。
【００３２】
そして、圧着バネ２２が引張コイルバネで構成されていて、この圧着バネ２２の両端が、ディスクトレーセンターＰ1 上で、スライド板２３の下面とディスクトレー本体２ａの下面２ａｂとにそれぞれ垂直状に一体成形された２つのバネ係止部２５、２６間に初期引張応力を与えられた状態で係止されている。
【００３３】
従って、ディスク押え部２０はフロントパネル２ｂと一体に、この圧着バネ２２によってディスク開放位置Ｐ12側からディスク押え位置Ｐ11まで矢印ａ方向に移動付勢されて、ディスクトレー本体２ａの前端面２ａｃに当接して停止されるように構成されている。
【００３４】
以上のように構成されたディスク押え部２０の第１の実施形態によれば、使用者が、例えば左手の親指等をフロントパネル２ｂ等にかけて、このフロントパネル２ｂを圧着バネ２２に抗して図７及び図１０に示すディスク開放位置Ｐ11まで矢印ｂ方向に移動させると、ディスク押え部２０が凹所３の外周から外方（矢印ｂ方向）に離間されて、その凹所３のディスク押え部２０側が開放される。
【００３５】
そこで、例えば右手でディスク４の外周をつまんで、このディスク４を凹所３内にディスク押え部２０側からやや斜めに容易に挿入することができる。
【００３６】
そして、その挿入したディスク４の外周４ｂの２箇所を２つのディスク押え爪２１の下に挿入した後に、フロントパネル２ｂ等から親指等を離すと、図６及び図９に示すように、ディスク押え部２０がフロントパネル２ｂと一体に、圧着バネ２２によってディスク押え位置Ｐ11まで矢印ａ方向に移動されて、そのディスク押え部２０の端面２０ａの矢印ａ方向側の頂部が、凹所３の内側まで入り込んで、ディスク４の外周４ｂの一部の上部にオーバーラップ量ＯＶに重ねられる。
【００３７】
そして、この瞬間に、ディスク押え部２０と、２つのディスク押え爪２１とによって、ディスク４の外周４ｂの３箇所を凹所３の底部３ａとは反対側から押えることができて、ディスク４を凹所３内から脱落しないように、ディスク４を凹所３内に完全、かつ、確実に保持することができる。
【００３８】
この際、ディスク押え部２０と、２つのディスク押え爪２１をディスクトレーセンターＰ1 に対して左右幅方向に対称状に配置しているので、ディスク装置の垂直使用時において、ディスクトレー２の左右幅方向の両端２Ａ、２Ｂのうちの一方２Ａを上向けにする時、或いは他方２Ｂを上向けにする時の垂直２方向の使用に際して、何れの場合でも、凹所３内のディスク４を全く同様に、安全、かつ、確実に保持することができる。
【００３９】
また、ディスクトレー２の凹所３内に対するディスク４の脱着時には、ディスク押え部２０をディスク開放位置Ｐ12へ移動させて、凹所３のディスク押え部２０側を開放させることができるので、凹所３内へのディスク４の挿入及び抜取り操作を行う際に、ディスク押え部２０が邪魔にならず、ディスク装置の水平使用及び垂直使用の何れにおいても、凹所３内へのディスク４の出し入れ操作を容易に行える。
【００４０】
「ディスク装置本体のディスク出入口の密封構造の説明」
次に、図３〜図５によって、ディスク装置本体１のフロントパネル１ａに形成されているディスク出入口１ｂの密封構造について説明する。
【００４１】
前述したディスク押え部２０の第１の実施形態で説明した通りに、ディスクトレー２のフロントパネル２ｂはディスクトレー本体２ａから切り離されていて、このフロントパネル２ｂはディスクトレー本体２ａに対してローディング方向（矢印ａ方向）及びイジェクト方向（矢印ｂ方向）に移動自在に取り付けられており、更に、このフロントパネル２ｂは圧着バネ２２によってディスクトレー本体２ａに対してローディング方向（矢印ａ方向）に移動付勢されている。
【００４２】
そこで、図５に示すように、フロントパネル２ｂの背面２ｂｂの外径寸法Ａを、ディスク装置本体１のフロントパネル１ａに形成されているディスクトレー出入口１ｂの外径寸法Ｂより大きく構成されている。
【００４３】
また、ディスクトレー２のフロントパネル２ｂと、ディスク装置本体１のフロントパネル１ａの相互圧着面であるフロントパネル２ｂの背面２ｂｂと、フロントパネル１ａの前面１ａａのうちの何れか一方、例えば前面１ａａ側で、ディスクトレー出入口１ｂの外周位置に、ゴム等で成形された弾性を有するシール部材２８を環状に埋設している。
【００４４】
そこで、図３に示すように、ディスクトレー２の凹所３内にディスク４を挿入して、ディスク押え部２０と２つのディスク押え爪２１とによってそのディスク４の外周４ｂの３箇所を保持した後、図２２に示したローディング機構５のローディングモータ７によってディスクトレー２をディスク装置本体１内に矢印ａ方向にローディングする。
【００４５】
この際、ローディングモータ７はディスクトレー２のディスクトレー本体２ａを矢印ａ方向に駆動し、フロントパネル２ｂは圧着バネ２２を介してディスクトレー本体２ａと一体に矢印ａ方向に移動される。
【００４６】
そして、図４及び図５に示すように、ディスクトレー２のローディング完了時点では、ディスクトレー２のフロントパネル２ｂがその背面２ｂｂの外周部によってディスク装置本体２のフロントパネル１ａのディスクトレー出入口１ｂの外周部に当接して停止し、圧着バネ２２が矢印ａ方向に引き伸ばされて、ディスクトレー２のディスクトレー本体２ａがフロントパネル２ｂの停止位置Ｐ13からディスク装置本体１内に一定距離Ｌだけ引き込まれた後に、ローディングモータ７が停止されるように構成されている。
【００４７】
従って、ディスクトレー２のローディング完了状態では、図５に示すように、そのフロントパネル２ｂの背面２ｂｂの外周部が、ディスク装置本体１のフロントパネル１ａのディスクトレー出入口１ｂの外周部に埋設されているシール部材２８に圧着バネ２２のバネ力によって弾性的に圧着されて、そのディスクトレー出入口１ｂが気密状に密封されることになる。
【００４８】
この結果、図４に示すように、ディスクトレー２のローディングによって、ディスク４をディスクテーブル１１上にマグネットチャッキングし、スピンドルモータ１６によってディスク４を回転駆動しながら、光学ピックアップ１２の対物レンズ１２ａから照射されるレーザースポットによってディスク４を記録及び／又は再生する動作中において、大気中の塵埃がディスクトレー出入口１ｂからディスク装置本体１内に侵入して、ディスク４や対物レンズ１２ａ等に付着して、ディスク４の記録及び／又は再生のミスを招くようなことを未然に防止することができて、そのディスク４の記録及び／又は再生中におけるディスク装置本体１内の高い防塵効果を得ることができる。
【００４９】
しかも、ディスクトレー２のローディング完了時点では、ディスクトレー本体２ａが圧着バネ２２によってフロントパネル２ｂ側に向けて矢印ｂ方向に常に移動付勢されているので、図２２に示したローディング機構５中におけるラック６とピニオン８との間のバックラッシュ等のガタつきをなくすことができる。
【００５０】
従って、ディスクトレー２のディスクトレー本体２ａをディスク装置本体１内の所定位置に高精度に位置決めすることができて、ディスクテーブル１１に対するディスク４の脱着等を高精度に行うことができて、高い信頼性を得ることができる。
【００５１】
なお、図５に示すように、ディスクトレー２のフロントパネル２ｂとディスク装置本体１のフロントパネル１ａの相互圧着面に弾性を有するシール部材２８を配置することによって、ディスクトレー２のローディング完了時点でのディスク装置本体１のディスクトレー出入口１ｂの気密性をより一層向上させることができる。
【００５２】
「ディスク押え部の第２の実施形態の説明」
次に、図１１〜図１４によって、ディスク押え部２０の第２の実施形態を説明する。
【００５３】
この場合は、ディスクトレー本体２ａの下面２ａｂで、前端面２ａｃ側の近傍位置における左右幅方向の両端近傍位置に左右一対の支点ピン２９、３０を垂直状に一体成形し、ディスク押え部２０を一体成形してあるフロントパネル２ｂの背面２ｂｂの左右幅方向の両端近傍位置にほぼＶ型の左右一対の係止爪３１、３２を水平状に一体成形し、これら左右一対の係止爪３１、３２を圧着バネ２２によって左右一対の支点ピン２９、３０に矢印ａ方向から弾性的に係合させたものである。
【００５４】
そして、この場合は、図１３及び図１４に示すように、フロントパネル２ｂの左右幅方向の両端部２Ｂ1 又は２Ｂ2 の何れか一方に手指をかけて、この両端部２Ｂ1 、２Ｂ2 の何れか一方を選択的に圧着バネ２２に抗して矢印ｆ、ｇ方向に回転操作すると、左右一対の係止爪３１、３２の何れか一方が、左右一対の支点ピン２９、３０の何れか一方から矢印ｆ、ｇ方向に離脱されて、フロントパネル２ｂがディスクトレー本体２ａに対して左右一対の支点ピン２９、３０の何れか一方を中心にして矢印ｆ、ｇ方向に選択的に回転される。
【００５５】
そして、このフロントパネル２ｂの矢印ｆ、ｇ方向の選択的な回転によって、図１４に示すように、ディスク押え部２０をフロントパネル２ｂと一体にディスク開放位置Ｐ12まで移動させることができて、前述したように、ディスクトレー本体２の凹所３内へディスク４を容易に挿入することができる。
【００５６】
そして、凹所３内へのディスク４の挿入後に、フロントパネル２ｂの左右両端部２Ｂ1 、２Ｂ2 から手指を離すと、図１１及び図１２に示すように、フロントパネル２ｂが圧着バネ２２によって矢印ａ方向に引き寄せられて、左右一対の係止爪３１、３２が左右一対の支点ピン２９、３０に初期状態に係合され、フロントパネル２ｂと一体にディスク押え部２０がディスク押え位置Ｐ11まで矢印ａ方向に移動されて、前述したように、このディスク押え部２０と、２つのディスク押え爪２１とによってディスク４の外周４ｂの３箇所を安全、かつ、確実に保持することができる。
【００５７】
そして、このディスク押え部２０の第２の実施形態においても、前述した第１の実施形態と同様に、ディスクトレー２のディスク装置本体１内へのローディング完了時点で、ディスクトレー２のフロントパネル２ｂをディスク装置本体１のフロントパネル１ａに圧着バネ２２に抗して弾性的に圧着させて、ディスクトレー出入口１ｂを気密状に密封することができる。
【００５８】
「ディスク押え部の第３の実施形態の説明」
次に、図１５及び図１６によって、ディスク押え部２０の第３の実施形態を説明する。
【００５９】
この場合は、ディスク押え部２０を一体成形してあるフロントパネル２ｂを、ディスクトレー本体２ａの下面２ａｂで、前端面２ａｃ側に水平な支点軸３３を介してローディング及びイジェクト方向である矢印ｈ、ｉ方向に回転自在に取り付け、巻バネで構成された圧着バネ２２によって矢印ｈ方向に回転付勢させたものである。
【００６０】
従って、この場合は、図１６に示すように、フロントパネル２ｂに手指をかけて、このフロントパネル２ｂを支点軸３３を中心に矢印ｉ方向に回転操作すると、ディスク押え部２０をフロントパネル２ｂと一体にディスク開放位置Ｐ12まで矢印ｉ方向に移動させることができて、前述したように、ディスクトレー本体２ａの凹所３内へディスク４を容易に挿入することができる。
【００６１】
そして、凹所３内へのディスク４の挿入後に、フロントパネル２ｂから手指を離すと、図１５に示すように、フロントパネル２ｂが圧着バネ２２によって矢印ｈ方向に回転されて、フロントパネル２ｂと一体にディスク押え部２０がディスク押え位置Ｐ11まで矢印ｈ方向に移動されて、前述したように、このディスク押え部２０と、２つのディスク押え爪２１とによってディスク４の外周４ｂの３箇所を安全、かつ、確実に保持することができる。
【００６２】
なお、このディスク押え部２０の第３の実施形態においては、ディスクトレー本体２ａの下面２ａｂにスライダーを矢印ａ、ｂ方向に移動自在に取り付け、そのスライダーにフロントパネル２ｂを支点軸３３を介して矢印ｈ、ｉ方向に回転自在に取り付け、そのスライダーを圧着バネ２２より強いバネ力を有する第２の圧着バネによってディスクトレー本体２ａに対して矢印ａ方向に移動付勢させておけば、前述した第１及び第２の実施形態と同様に、ディスクトレー２のディスク装置本体１内へのローディング完了時点で、ディスクトレー２のフロントパネル２ｂをディスク装置本体１のフロントパネル１ａに第２の圧着バネに抗して弾性的に圧着させて、ディスクトレー出入口１ｂを気密状に密封することができる。
【００６３】
「ディスク押え部の第３の実施形態の説明」
次に、図１７及び図１８によって、ディスク押え部２０の第３の実施形態を説明する。
【００６４】
この場合は、ディスクトレー本体２ａとフロントパネル２ｂとを合成樹脂等によって一体成形し、フロントパネル２ｂの左右幅方向のほぼ中央部に切欠き３４を形成している。そして、前述したスライド板２３及びバネ係止部係止部２５が一体成形されたディスク押え部２０を切欠き３４内に配置して、そのスライド板２３を前述したディスクトレー本体２ａの左右一対のガイドレール２４間に挿入して、ディスク押え部２０をディスクトレー本体２ａに対して矢印ａ、ｂ方向に移動自在に取り付けている。そして、前述した圧着バネ２２によって、ディスク押え部２０を矢印ａ方向に移動付勢させたものである。
【００６５】
従って、この場合は、フロントパネル２ｂの切欠き３４内で、ディスク押え部２０に手指をかけて、このディスク押え部２０のみを圧着バネ２２に抗して図１８に示すディスク開放位置Ｐ12まで矢印ｂ方向に移動させて、前述したように、ディスク４を凹所３内に挿入することができる。
【００６６】
そして、凹所３内へのディスク４の挿入後に、ディスク押え部２０から手指を離すと、このディスク押え部２０が圧着バネ２２によって図１７に示すディスク押え位置Ｐ11まで矢印ａ方向に移動されて、前述したように、このディスク押え部２０と、２つのディスク押え爪２１とによってディスク４の外周４ｂの３箇所を安全、かつ、確実に保持することができる。
【産業上の利用可能性】
【００６７】
以上、本発明の実施の形態について説明したが、本発明は図面に示された実施の形態に限定されることなく、本発明の技術的思想に基づいて各種の変更が可能である。
【図面の簡単な説明】
【００６８】
【図１】本発明を適用したディスク装置の実施の形態を説明するディスク装置の垂直        使用時でのディスクトレーのイジェクト状態を示した斜視図である。
【図２】同上のディスク装置の水平使用時でのディスクトレーのイジェクト状態を示        した斜視図である。
【図３】同上のディスクトレーのイジェクト状態での断面平面図である。
【図４】同上のディスクトレーのローディング状態での断面平面図である。
【図５】同上のディスク装置本体のディスク出入口の密封構造を説明する断面平面図        である。
【図６】同上のディスクトレーのディスク押え部の第１の実施形態を説明する平面図        である。
【図７】図６のディスク押え部をディスク開放位置へ移動させた状態の平面図である        。
【図８】図６の下面図である。
【図９】図６のＡ−Ａ矢視での断面図である。
【図１０】図７のＢ−Ｂ矢視での断面図である。
【図１１】同上のディスクトレーのディスク押え部の第２の実施形態を説明する下面        図である。
【図１２】図１１の平面図である。
【図１３】図１１のディスク押え部の移動方法を説明する下面図である。
【図１４】図１２のディスク押え部の移動方法を説明する平面図である。
【図１５】同上のディスクトレーのディスク押え部の第３の実施形態を説明する断面        図である。
【図１６】図１５のディスク押え部をディスク開放位置へ回動させた状態の断面図で        ある。
【図１７】同上のディスクトレーのディスク押え部の第３の実施形態を説明する平面        図である。
【図１８】図１７のディスク押え部をディスク開放位置へ移動させた状態の平面図で        ある。
【図１９】従来のディスク装置の水平使用時のディスクトレーのイジェクト状態の斜        視図である。
【図２０】ディスクトレーの図１９のＣ−Ｃ矢視での水平使用時と垂直使用時を示す        断面図である。
【図２１】従来のディスク装置の水平使用時のディスクのローディング完了状態を示        した斜視図である。
【図２２】従来のディスクトレーの下面図である。
【図２３】ディスク装置本体内のディスクテーブル及びチャッキングプーリによるデ        ィスクのマグネットチャッキング解除状態を説明する側面図である。
【図２４】ディスク装置本体内のディスクテーブル及びチャッキングプーリによるデ        ィスクのマグネットチャッキング状態を説明する側面図である。
【符号の説明】
【００６９】
１      ディスク装置本体
２      ディスクトレー
２ａ    ディスクトレー本体
２ｂ    ディスクトレーのフロントパネル
３      凹所
４      ディスク
４ｂ    ディスクの外周
２０    ディスク押え部
２１    ディスク押え爪
２２    圧着バネ（付勢手段）
Ｐ11    ディスク押え位置
Ｐ12    ディスク開放位置
ＯＶ    ディスク押え部とディスクの外周とのオーバーラップ量
【図１】
0003714356.tif 000002
【図２】
0003714356.tif 000003
【図３】
0003714356.tif 000004
【図４】
0003714356.tif 000005
【図５】
0003714356.tif 000006
【図６】
0003714356.tif 000007
【図７】
0003714356.tif 000008
【図８】
0003714356.tif 000009
【図９】
0003714356.tif 000010
【図１０】
0003714356.tif 000011
【図１１】
0003714356.tif 000012
【図１２】
0003714356.tif 000013
【図１３】
0003714356.tif 000014
【図１４】
0003714356.tif 000015
【図１５】
0003714356.tif 000016
【図１６】
0003714356.tif 000017
【図１７】
0003714356.tif 000018
【図１８】
0003714356.tif 000019
【図１９】
0003714356.tif 000020
【図２０】
0003714356.tif 000021
【図２１】
0003714356.tif 000022
【図２２】
0003714356.tif 000023
【図２３】
0003714356.tif 000024
【図２４】
0003714356.tif 000025